(57)【特許請求の範囲】
【請求項１】
一対のベルト（１、１）と、連結板（２）と、肩当て（３）とを備えたものとしており、前記連結板（２）に一対の円弧状長孔（４、４）を対向させて設けると共に、これら対向する円弧状長孔（４、４）の中間位置に掛止孔（５）を設けたものとし、前記円弧状長孔（４、４）の一方に、前記ベルト（１、１）の一方の一端を、任意角度、旋回自在に取り付けると共に、前記円弧状長孔（４、４）の他方に、前記ベルト（１、１）の他方の一端を、任意角度、旋回自在に取り付けたものとし、前記連結板（２）全体と前記ベルト（１、１）の取付端とを前記肩当て（３）によって着脱自在に被覆したものとし、前記一方のベルト（１）を長さ調節自在としてその他端に、鞄（６）の両側面の上部に設けた肩掛け用リング（７、７）、又は鞄（６）の前後面の一方の下部両端及び上部の何れか一端に設けた背負い用下部リング（８、８、８）の何れかに着脱自在とした取付フック（９）を設けると共に、前記他方のベルト（１）を長さ調節自在としてその他端に、前記肩掛け用リング（７、７）又は前記背負い用下部リング（８、８、８）の何れかに着脱自在とした取付フック（９）を設け、さらに前記連結板（２）の掛止孔（５）に、鞄（６）の前後面の一方の上部中央及び一側端中央に設けた背負い用上部取付フック（１０、１０）の何れかを着脱自在として連結できるようにした鞄用肩掛けベルトであって、
前記連結板（２）は、中心角が１５０〜１７０度の略扇形に形成され、その角を落して丸くしたものとし、
前記連結板（２）の円弧状長孔（４、４）の中心角（α）がそれぞれ８５〜９０度にしており、
前記ベルト（１、１）間の角度（β）が９０〜１７０度までの範囲で任意の角度に調節可能にしていることを特徴とする鞄用肩掛けベルト。
【発明の詳細な説明】
【技術分野】
【０００１】
この発明は、鞄を一方の肩に掛けてぶら下げたり、鞄を両方の肩に掛けて背中に背負ったりして使用することができる鞄用肩掛けベルトに関するものである。
【背景技術】
【０００２】
従来、この種の鞄用肩掛けベルトとしては、例えば図９に示したように、移動吊金具２１の挿通孔２１ａ、２１ａに交互に通した帯２２の一側２２ａに、ワンタッチフック２３が折り返した帯をビス２４で止めて取り付けられたものとしている。さらに、前記帯２２の他側２２ｂには、その先端にワンタッチフック２３が取り付けられており、この取り付けのために折り返された帯２２の先端には他側２２ｂと係合してその長さを調節する止金具２５が取り付けられたものとしている（特許文献１）。
【０００３】
このように構成した従来の鞄用肩掛けベルトは、三個の鉤金具を有する鞄２６に用いる場合には、図１０に示したように、先ず、鞄２６の中央上方の鉤金具２７ａに、移動吊金具２１の環２１ｂを掛け、次に鉤金具２７ｂにワンタッチフック２３を掛けて帯２２の一側２２ａの長さが適当か否かを調べ、帯２２と移動吊金具２１の基盤との間の摩擦を適宜解いて長さを調節するようにしている。そして、調節した帯２２の一側２２ａの長さに他側２２ｂの長さが一致するように止金具２５の係合を解いて調節し、同じ長さにしたところでワンタッチフック２３を鉤金具２７ｂに掛けるようにしている。
【０００４】
また、図９に示した従来の鞄用肩掛けベルトは、二個の鉤金具を有する鞄２８に用いる場合には、図１１に示したように、先ず、釣金具２７ｃにワンタッチフック２３を掛け、次に、帯２２の他側２２ｂを鉤金具２７ｄに通して折り返し、先端のワンタッチフック２３を移動金具２１の環２１ｂに掛けるようにしている。そして、帯の全体的長さが適当か否かを調べ、不適当の場合には帯２２と移動吊金具２１の基盤との間の摩擦を適宜解いて移動調整し、最適の長さに設定するようにしている。
【０００５】
さらに、従来のこの種の鞄用肩掛けベルトとしては、例えば図１２に示したように、先端部に長さ調整用の係止孔３１が設けられており、各先端部は、それぞれ鞄本体３２の側壁３２ｂに設けたバックル３３、３３に係脱可能に係止されている。各ベルト３４、３４の他端部は、図１３に示すように、リング３５を係止バンド３６のバンド部３６ａに挿通し、このバンド部３６ａをバンド通し３６ｂに挿通した後、バンド部３６ａに形成された留め孔３６ｃを留めピン３６ｄに嵌め入れることにより、鞄本体３２に取り付けられている。このリング３５を逆の手順で係止バンド３６から取りはずし、前記各先端部をバックル３３、３３から離脱させると、ベルト３４、３４を鞄本体３２から取りはずすこともできるとしている（特許文献２）。
【０００６】
また、図１２に示した従来の鞄用肩掛けベルトは、鞄本体３２に対して着脱自在であるため、使用時以外にはベルト３４、３４を取りはずすことができるだけでなく、図１４に示すように、ベルト３４、３４を襠部３７、３７に設けたバックル３３、３３に付け替えることにより、ショルダーバッグとして使用することもできるとしている。
【先行技術文献】
【特許文献】
【０００７】
【特許文献１】実開昭５９−８６２３号公報
【特許文献２】実用新案登録第３０３７４１３号公報
【発明の概要】
【発明が解決しようとする課題】
【０００８】
上記図９及び図１２に示した従来の鞄用肩掛けベルトは、何れも図１０、１１又は図１２、１４に示されたように、鞄を一方の肩に掛けてぶら下げたり、鞄を両方の肩に掛けて背中に背負ったりして使用することができるようにしている。
【０００９】
しかしながら、上記従来の鞄用肩掛けベルトは、鞄を両方の肩に掛けて背中に背負った状態にして使用する場合には、何れも特に問題がないが、鞄を一方の肩に掛けてぶら下げるようにして使用する場合には、移動吊金具２１やリング３５が露出しているため、これら移動吊金具２１やリング３５が使用者の肩に直接当たってしまい、使用者の衣服を傷めてしまったり、鞄の荷重で肩が痛くなってしまうという課題を有していた。
【００１０】
さらに、上記図９に示した従来の鞄用肩掛けベルトは、鞄を両方の肩に掛けて背中に背負った状態にして使用する場合には、移動吊金具２１の挿通孔２１ａ、２１ａに交互に通し折り返して二股にした帯２２の間の角度を調節することが殆どできないため、使用者の体格に応じて前記帯２２の間の角度を自由に広げたり、狭めたりすることが困難となり、帯２２が窮屈であったり、逆に帯２２が緩過ぎて、鞄が背負い辛くなってしまうという課題を有していた。
【００１１】
また、上記図１２に示した従来の鞄用肩掛けベルトは、鞄を両方の肩に掛けて背中に背負った状態にして使用する場合には、一対のベルト３４、３４の間の角度を調節するときに、リング３５の周囲に沿ってベルト３４、３４を移動させるだけよいので、その角度調節が容易に行なえるが、ベルト３４、３４がリング３５の周囲を無制限に移動するので、ベルト３４、３４の間で移動差が生じて、ベルト３４、３４どうしの傾斜角度が同じにならず、背負った鞄が傾いてしまうことがあるという課題を有していた。
【００１２】
そこで、この発明は、上記従来の課題を解決するためになされたものであり、使用者の衣服を傷めてしまったり、鞄の荷重で肩が痛くなってしまうことがなく、さらに鞄が背負い辛くなってしまうことがなく、しかも背負った鞄が傾いてしまうことがない鞄用肩掛けベルトを提供することを目的とする。
【課題を解決するための手段】
【００１３】
そのため、この発明の鞄用肩掛けベルトは、一対のベルト１、１と、連結板２と、肩当て３とを備えたものとしており、前記連結板２に一対の円弧状長孔４、４を対向させて設けると共に、これら対向する円弧状長孔４、４の中間位置に掛止孔５を設けたものとし、前記円弧状長孔４、４の一方に、前記ベルト１、１の一方の一端を、任意角度、旋回自在に取り付けると共に、前記円弧状長孔４、４の他方に、前記ベルト１、１の他方の一端を、任意角度、旋回自在に取り付けたものとし、前記連結板２全体と前記ベルト１、１の取付端とを前記肩当て３によって着脱自在に被覆したものとし、前記一方のベルト１を長さ調節自在としてその他端に、鞄６の両側面の上部に設けた肩掛け用リング７、７、又は鞄６の前後面の一方の下部両端及び上部の何れか一端に設けた背負い用下部リング８、８、８の何れかに着脱自在とした取付フック９を設けると共に、前記他方のベルト１を長さ調節自在としてその他端に、前記肩掛け用リング７、７又は前記背負い用下部リング８、８、８の何れかに着脱自在とした取付フック９を設け、さらに前記連結板２の掛止孔５に、鞄６の前後面の一方の上部中央及び一側端中央に設けた背負い用上部取付フック１０、１０の何れかを着脱自在として連結できるようにし、前記連結板２は、中心角が１５０〜１７０度の略扇形に形成され、その角を落して丸くしたものとし、前記連結板２の円弧状長孔４、４の中心角αがそれぞれ８５〜９０度にしており、前記ベルト１、１間の角度βが９０〜１７０度までの範囲で任意の角度に調節可能にしている。
【発明の効果】
【００１７】
この発明の鞄用肩掛けベルトは、以上に述べたような構成としているので、使用者の衣服を傷めてしまったり、鞄の荷重で肩が痛くなってしまうことがなく、さらに鞄が背負い辛くなってしまうことがなく、しかも背負った鞄が傾いてしまうことがないものとなった。
【図面の簡単な説明】
【００１８】
【図１】この発明の鞄用肩掛けベルトの一実施形態を示す全体図である。
【図２】この発明の鞄用肩掛けベルトの連結板の円弧状長孔にベルトの一端を取り付けた状態を示しており、（ａ）は一対のベルト間の角度βを最大にしたときの説明図であり、（ｂ）は一対のベルト間の角度βを最小にしたときの説明図である。
【図３】この発明の鞄用肩掛けベルトの連結板の平面図である。
【図４】この発明の鞄用肩掛けベルトの肩当ての閉じた状態を示す斜視図である。
【図５】この発明の鞄用肩掛けベルトの肩当ての開いた状態を示す斜視図である。
【図６】この発明の鞄用肩掛けベルトの一使用状態を示す説明図である。
【図７】この発明の鞄用肩掛けベルトの他の使用状態を示す説明図である。
【図８】この発明の鞄用肩掛けベルトのさらに他の使用状態を示す説明図である。
【図９】従来の鞄用肩掛けベルトの一例を示す全体斜視図である。
【図１０】図９の鞄用肩掛けベルトの一使用状態を示す斜視図である。
【図１１】図９の鞄用肩掛けベルトの他の使用状態を示す斜視図である。
【図１２】従来の鞄用肩掛けベルトの他の例の一使用状態を示す斜視図である。
【図１３】図１２の鞄用肩掛けベルトを鞄に取り付ける状態を示す説明図である。
【図１４】図１２の鞄用肩掛けベルトの他の使用状態を示す斜視図である。
【発明を実施するための形態】
【００１９】
以下、この発明の鞄用肩掛けベルトを実施するための形態を、図面に基づいて詳細に説明する。
【００２０】
この発明の鞄用肩掛けベルトは、図１、２に示したように、一対のベルト１、１と、連結板２と、肩当て３とを備えたものとしている。
【００２１】
この発明の鞄用肩掛けベルトは、前記連結板２に一対の円弧状長孔４、４を対向させて設けると共に、これら対向する円弧状長孔４、４の中間位置に一つの掛止孔５を設けたものとし、前記円弧状長孔４、４の一方に、前記ベルト１、１の一方の一端を、任意角度、旋回自在に取り付けると共に、前記円弧状長孔４、４の他方に、前記ベルト１、１の他方の一端を、任意角度、旋回自在に取り付けたものとしている。
【００２２】
さらに、この発明の鞄用肩掛けベルトは、前記連結板２全体と前記ベルト１、１の取付端とを前記肩当て３によって着脱自在に被覆したものとしている。
【００２３】
そして、この発明の鞄用肩掛けベルトは、前記一方のベルト１を長さ調節自在としてその他端に、鞄６に設けた肩掛け用リング７又は背負い用下部リング８に着脱自在とした取付フック９を設けると共に、前記他方のベルト１を長さ調節自在としてその他端に、鞄６に設けた肩掛け用リング７又は背負い用下部リング８に着脱自在とした取付フック９を設けたものとしている。
【００２４】
また、この発明の鞄用肩掛けベルトは、前記連結板２の掛止孔５に、鞄６に設けた背負い用上部取付フック１０を着脱自在として連結できるようにしている。
【００２５】
前記ベルト１、１は、それぞれの一端を前記したように連結板２の円弧状長孔４、４に取り付けており、それぞれの他端に前記したように鞄６の肩掛け用リング７又は背負い用下部リング８に着脱自在とした取付フック９を設けたものとしており、さらにそれぞれの中間部に長さ調節具１１を取り付けて長さ調節自在としている。
【００２６】
前記連結板２は、金属板をプレス加工して略半円形や、中心角が１５０〜１７０度の略扇形に形成し、その角を落して丸くしたものとしており、前記肩当て３で被覆したときに出っ張りが生じ難くすると共に、使用者が使用時に手などに引っ掛けて怪我をしないようにしている。
【００２７】
前記連結板２の円弧状長孔４、４は、図３に示したように、それぞれの中心角αを８５〜９０度としており、図２に示したように、これら円弧状長孔４、４にそれぞれ一対のベルト１、１の端部を通して折り返し、その折り返した部分を縫着したり、ビス止め等して取り付けることにより、旋回自在になるようにしている。そして、前記円弧状長孔４、４にそれぞれ取り付けたベルト１、１は、前記図２に示したように、使用者の体格に応じてベルト１、１間の角度βを９０〜１７０度、好ましくは７５〜１８０度までの範囲で任意の角度に調節できるようにしている。前記ベルト１、１間の角度βが１７０〜１８０度のときは、前記連結板２全体と前記一対のベルト１、１のそれぞれの取付端とを肩当て３で被覆したときに、図２（ａ）に示したように、その部分が略直線状となり被覆することができる。
【００２８】
前記肩当て３は、図４、５に示したように、四角形の基布の両側を包み片３ａ、３ａとし、一方の包み片３ａの表面の側端部に面ファスナーの雌体１２ａを設け、他方の包み片３ａの裏面の側端部に面ファスナーの雄体１２ｂを設け、前記基布の表裏面又は表面の中央部にクッション材１３を設けたものとしている。そして、前記連結板２全体と前記一対のベルト１、１のそれぞれの取付端とを前記肩当て３によって被覆するには、これらを基布の裏面の中央部に当て、包み片３ａ、３ａを折り返して、面ファスナーの雌体１２ａと雄体１２ｂを接着すればよい。なお、前記面ファスナーの雌雄体１２ａ、１２ｂの両端部にホックの雌雄体１４ａ、１４ｂを設けたものにすることにより、前記包み片３ａ、３ａどうしの接着をより強いものとして、使用中に両者がより外れ難いものにしておくことができる。
【００２９】
前記鞄６は、図示したものでは、横長の略直方体形状に構成しており、前後面の上部には必要に応じて一対の手提げ用の把手１５、１５が設けられており、両側面の上部には前記肩掛け用リング７、７を設けたものとしている。さらに、前記鞄６の前後面の一方（図示したものでは後面）の下部両端及び上部の何れか一端に、前記背負い用下部リング８を設けており、前後面の一方（図示したものでは後面）の上部中央に、前記背負い用上部フック１０を設けたものとしている。さらに、前記背負い用上部フック１０と共に、前後面の一方（図示したものでは後面）の一側端の中央に、もう一つの背負い用上部フック１０を設けたものとしている。前記背負い用上部フック１０、１０は、鞄６を背中に背負った状態にして使用しない場合には、この鞄６の後面に設けた内ポケット１６に収納するなどして、背負い用上部フック１０が目立たないようにしたり、ぶらつかないようにしている。なお、前記肩掛け用リング７、背負い用下部リング８及び背負い用上部フック１０を鞄６に設ける位置は、それぞれの役目を果たす位置であれば、制限されることはなく、またこの発明の鞄用肩掛けベルトは、前記鞄６に限定されることなく、多種多用の鞄に使用することができる。
【００３０】
以上のように構成したこの発明の鞄用肩掛けベルトは、図６に示したように、一対のベルト１、１のそれぞれの取付フック９、９を、鞄６の両側面に設けた肩掛け用リング７、７にそれぞれ引っ掛け、長さ調節具１１によりそれぞれのベルト１、１の長さを調節すれば、鞄６を一方の肩に掛けてぶら下げた状態にして使用することができる。
【００３１】
そして、この発明の鞄用肩掛けベルトは、鞄６を両方の肩に掛けて背中に背負った状態にして使用する場合には、先ず一対のベルト１、１のそれぞれの取付フック９、９を、鞄６の後面の下部両端に設けた背負い用下部リング８、８にそれぞれ引っ掛ける。次に、肩当て５の面ファスナーの雌雄体１２ａ、１２ｂどうしの接着を外し（ホックの雌雄体１４ａ、１４ｂを設けているものでは、これらの接着も外し）て、この肩当て５を前記ベルト１、１から外して連結板２を露出させる。さらに、この連結板２の掛止孔５に、鞄６の後面の上部中央に設けた背負い用上部取付フック１０を引っ掛ければ、図７に示したように、鞄６を横長にして背負うことができる。
【００３２】
また、この発明の鞄用肩掛けベルトは、一対のベルト１、１の一方の取付フック９を、鞄６の後面の下部両端に設けた背負い用下部リング８、８の何れかに引っ掛け、前記他方の取付フック９を、鞄６の後面の一側端の上部に設けた背負い用下部リング８に引っ掛け、前記連結板２の掛止孔５に、鞄６の後面の一側端の中央に設けた背負い用上部取付フック１０を引っ掛ければ、図８に示したように、鞄６を縦長にして背負うことができる。
【００３３】
このようにしたこの発明の鞄用肩掛けベルトは、前記鞄６を横長にして背負った場合にも、縦長にして背負った場合にも、使用者の体格に応じて一対のベルト１、１の間の角度を自由に広げたり、狭めたりすることができるので、肩掛けベルトが窮屈であったり、逆に肩掛けベルトが緩過ぎて、鞄が背負い辛くなってしまうようなことはなくなる。
【００３４】
また、この発明の鞄用肩掛けベルトは、一対のベルト１、１の間の角度を調節するときに、連結板２の円弧状長孔４に沿って、角度制限された範囲を一対のベルト１、１が移動することになるので、ベルト１、１の間で移動差が生じ難く、ベルト１、１どうしの傾斜角度も同じになりやすく、背負った鞄が傾いてしまうようなことがなくなる。
【００３５】
なお、前記鞄６を手に提げた状態にして使用するには、この発明の鞄用肩掛けベルトを上記した状態のままで使用することもできるが、垂れ下がるなどして使用し難くなるので、ベルト１、１のそれぞれの取付フック９を、肩掛け用リング７及び背負い用下部リング８から外し、鞄６の背負い用上部取付フック１０を連結板２の掛止孔５から外して、この発明の鞄用肩掛けベルトを鞄６から取り去って使用すればよい。
【符号の説明】
【００３６】
１  ベルト
２  連結板
３  肩当て
４  円弧状長孔
５  掛止孔
６  鞄
７  肩掛け用リング
８  背負い用下部リング
９  取付フック
１０  背負い用上部取付フック
【図１】
0005943257.tif 000002
【図２】
0005943257.tif 000003
【図３】
0005943257.tif 000004
【図４】
0005943257.tif 000005
【図５】
0005943257.tif 000006
【図６】
0005943257.tif 000007
【図７】
0005943257.tif 000008
【図８】
0005943257.tif 000009
【図９】
0005943257.tif 000010
【図１０】
0005943257.tif 000011
【図１１】
0005943257.tif 000012
【図１２】
0005943257.tif 000013
【図１３】
0005943257.tif 000014
【図１４】
0005943257.tif 000015